(57)【要約】【課題】階段の手摺りを支持するために、床面または踏み板から立設され、下端部が床面または踏み板に固定され、その上部が、一段上の踏み板の段鼻部に取付ネジで固定される支柱の取付構造において、見栄えと取付け作業性に優れるものを提供する。【解決手段】階段Ｓの手摺りＨを支持するために立設され、下端部が前記床面Ｆまたは階段Ｓの踏み板Ｐに固定され、その上部が、一段上の踏み板Ｐの段鼻部Ｎに取付ネジ１５で固定される支柱の取付構造であって、支柱１は、前面壁に作業用開口部１１を有する中空状の支柱本体部１０と、前面壁の全体を表面が面一になるように覆って作業用開口部１１を閉鎖する蓋部２０とを備え、蓋部２０は、支柱本体部１０の後面壁１２を踏み板Ｐの段鼻部Ｎに固定した後に、支柱本体部１０に取付けられる。【選択図】図２
2007217956.tif 000002
【特許請求の範囲】
【請求項１】
階段の手摺りを支持するために立設され、下端部が床面または階段の踏み板に固定され、その下端部の上側が、一段上の踏み板に取付具で固定される支柱の取付構造であって、
前記支柱は、前面壁に作業用開口部を有する中空状の支柱本体部と、前記前面壁の全体を表面が面一になるように覆って前記作業用開口部を閉鎖する蓋部とを備え、
前記蓋部は、前記支柱本体部の後面壁を前記取付具を介して前記踏み板に固定した後に前記支柱本体部に取付けられるものであることを特徴とする手摺り用支柱の取付構造。
【請求項２】
前記支柱本体部は、複数の部材から構成され、分離可能であることを特徴とする請求項１に記載の手摺り用支柱の取付構造。
【請求項３】
階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ４つの側面をそれぞれ有する４つのパーツに分離可能であり、
前記パーツの１つを前記取付具を介して前記踏み板に固定した後に、前記パーツの残りを、前記踏み板に固定したパーツに組み付けるものであることを特徴とする手摺り用支柱の取付構造。
【請求項４】
階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ３つの側面を有する１つのパーツと他の１つの側面を有する１つのパーツに分離可能であり、
前記パーツの１つを前記取付具を介して前記踏み板に固定した後に、前記パーツの残りを、前記踏み板に固定したパーツに組み付けるものであることを特徴とする手摺り用支柱の取付構造。
【請求項５】
階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ２つの側面を有する１つのパーツと他の２つの側面を有する１つのパーツに分離可能であり、
前記パーツの１つを前記取付具を介して前記踏み板に固定した後に、前記パーツの残りを、前記踏み板に固定したパーツに組み付けるものであることを特徴とする手摺り用支柱の取付構造。
【請求項６】
階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ２つの側面を有する１つのパーツと他の２つの側面をそれぞれ有する２つのパーツに分離可能であり、
前記パーツの１つを前記取付具を介して前記踏み板に固定した後に、前記パーツの残りを、前記踏み板に固定したパーツに組み付けるものであることを特徴とする手摺り用支柱の取付構造。
【請求項７】
前記パーツの裏面にはその裏面側に突出する係合部が形成されてなり、前記パーツの組み付け時には、隣接するパーツの係合部同士を係合させ、前記支柱の表面を面一にするようにしたことを特徴とする手摺り用支柱の取付構造。
【発明の詳細な説明】
【技術分野】
【０００１】
本発明は、階段の手摺りを支持するために、床面または踏み板から立設される支柱の取付構造に関するものである。
【背景技術】
【０００２】
建物の階段には、一般に、手摺りが設けられている。また、周囲に壁面の存在しない、いわゆるオープン階段には、手摺りの他に、当該手摺りを支持するための支柱が、床面および階段の踏み板から立設されている。また、こうした支柱を、より強固に取付けるために、当該支柱の下端部を床面または踏み板に固定すると共に、その支柱のやや上部を一段上の踏み板に固定したものがある。
【０００３】
従来、支柱６０の下端部からやや上部を、一段上の踏み板Ｐに固定する手段として、図５に示すように、当該支柱６０を中空状とし、その後面壁６１に、取付ネジを踏み板Ｐの段鼻部Ｎに螺入するための孔部６２を形成し、その孔部６２に対向する前面壁６３に、ドライバーを差し込むために前記孔部６２よりやや大径の作業穴６４を形成したものがある。そして、取付ネジで固定したのち、その作業穴６４を、カバー６５によって覆い隠し、支柱６０が作業穴６４によって見栄えが悪くなるのを防止している（例えば、特許文献１参照）。
【特許文献１】特許第３６８５１３５号
【発明の開示】
【発明が解決しようとする課題】
【０００４】
しかしながら、この従来技術では、作業穴６４をカバー６５で覆い隠して、見栄えの低下を防止しているものの、当該カバー６５は支柱６０からその肉厚分だけ部分的に突出しているため、見栄えの低下は否めない。
また、作業穴６４は、取付ネジを螺入するための孔部６２よりやや大径であるに過ぎないため、取付ネジを螺入する作業が行い難いといった問題もある。
【０００５】
そこで、本発明の目的とするところは、階段の手摺りを支持するために、床面または踏み板から立設され、下端部が前記床面または踏み板に固定され、その上部が、一段上の踏み板の段鼻部に取付ネジで固定される支柱の取付構造において、きわめて見栄えに優れ、かつ、取付ネジの螺入作業を含めた取付け作業を容易に行うことのできるものを提供することにある。
【課題を解決するための手段】
【０００６】
上記の目的を達成するために、請求項１に記載の発明は、階段の手摺りを支持するために立設され、下端部が床面または階段の踏み板に固定され、その下端部の上側が、一段上の踏み板に取付具で固定される支柱の取付構造であって、
前記支柱は、前面壁に作業用開口部を有する中空状の支柱本体部と、前記前面壁の全体を表面が面一になるように覆って前記作業用開口部を閉鎖する蓋部とを備え、
前記蓋部は、前記支柱本体部の後面壁を前記取付具を介して前記踏み板に固定した後に前記支柱本体部に取付けられるものであることを特徴とする。
【０００７】
また、請求項２に記載の発明は、前記支柱本体部は、複数の部材から構成され、分離可能であることを特徴とする。
【０００８】
さらに、請求項３に記載の発明は、階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ４つの側面をそれぞれ有する４つのパーツに分離可能であり、
前記パーツの１つを前記取付具を介して前記踏み板に固定した後に、前記パーツの残りを、前記踏み板に固定したパーツに組み付けるものであることを特徴とする。
【０００９】
また、請求項４に記載の発明は、階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ３つの側面を有する１つのパーツと他の１つの側面を有する１つのパーツに分離可能であり、
前記パーツの１つを前記取付具を介して前記踏み板に固定した後に、前記パーツの残りを、前記踏み板に固定したパーツに組み付けるものであることを特徴とする。
【００１０】
また、請求項５に記載の発明は、階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ２つの側面を有する１つのパーツと他の２つの側面を有する１つのパーツに分離可能であり、
前記パーツの１つを前記取付具を介して前記踏み板に固定した後に、前記パーツの残りを、前記踏み板に固定したパーツに組み付けるものであることを特徴とする。
【００１１】
また、請求項６に記載の発明は、階段の手摺りを支持するために立設され、下端部が床面または階段の踏み板に固定され、その下端部の上側が、一段上の踏み板に取付具で固定される支柱の取付構造であって、
前記支柱は、水平断面矩形状の中空状角材で、かつ２つの側面を有する１つのパーツと他の２つの側面をそれぞれ有する２つのパーツに分離可能であり、
前記パーツの１つを前記取付具を介して前記踏み板に固定した後に、前記パーツの残りを、前記踏み板に固定したパーツに組み付けるものであることを特徴とする。
【００１２】
また、請求項７に記載の発明は、前記パーツの裏面にはその裏面側に突出する係合部が形成されてなり、前記パーツの組み付け時には、隣接するパーツの係合部同士を係合させ、前記支柱の表面を面一にするようにしたことを特徴とする。
【発明の効果】
【００１３】
本発明の請求項１に記載の手摺り用支柱の取付構造によれば、支柱本体部の後面壁を踏み板に固定した後に、蓋部で、支柱本体部の前面壁の全体を表面が面一になるように覆って作業用開口部を閉鎖するので、支柱の見栄えを良好に保つことができる。すなわち、支柱前面の全体を蓋部で形成するので、従来技術のように部分的に突出した部分が形成されず、よって見栄えに優れる。
【００１４】
また、請求項２に記載の発明によれば、請求項１に記載の発明の作用効果に加えて、支柱本体部は、複数の部材から構成され、分離可能であるので、様々な形状にすることができ汎用性が高い。
【００１５】
特に、請求項３乃至６に記載の発明によれば、支柱は、水平断面矩形状の中空状角材で複数の部材に分離可能である。より詳細には、請求項３に記載の発明では、支柱は、４つの側面をそれぞれ有する４つのパーツに分離可能であり、パーツの１つが踏み板に固定された後、残りが踏み板に固定したパーツに組み付けられるものであり、請求項４に記載の発明では、支柱は、３つの側面を有する１つのパーツと他の１つの側面を有する１つのパーツに分離可能であり、パーツの１つが踏み板に固定された後、残りが踏み板に固定したパーツに組み付けられるものであり、請求項５に記載の発明では、支柱は、２つの側面を有する１つのパーツと他の２つの側面を有する１つのパーツに分離可能であり、パーツの１つが踏み板に固定された後、残りが踏み板に固定したパーツに組み付けられるものであり、請求項６に記載の発明では、支柱は、２つの側面を有する１つのパーツと他の２つの側面をそれぞれ有する２つのパーツに分離可能であり、パーツの１つが踏み板に固定された後、残りが踏み板に固定したパーツに組み付けられるものである。
このように、支柱は、水平断面矩形状の中空状角材で複数の部材に分離可能といったように、単純な形状で、しかもその分離は、支柱を構成する側面単位で分離可能であるので、取付けが容易で施工性に優れる。
【００１６】
特に、請求項３に記載の発明によれば、支柱を４つの側面をそれぞれ有する４つのパーツに分離可能であるので梱包時の体積が小さくなる。
また、請求項３に記載の発明によれば、４つの側面のうち対面同士を同一形状のパーツだけで構成することができ、請求項５に記載の発明によれば、２つのパーツを同一形状のパーツで構成することができるので、数百万円／個する金型が一つで済み、在庫、販売管理が容易である。
【００１７】
また、請求項７に記載の発明によれば、支柱は、パーツの裏面にはその裏面側に突出する係合部が形成されてなり、パーツの組み付け時には、隣接するパーツの係合部同士を係合させ、支柱の表面を面一にするようにしたので、突出部が外側に露出することがなく見栄えがよい。
【発明を実施するための最良の形態】
【００１８】
図１乃至図４を参照して、本発明の実施形態に係る手摺り用支柱の取付構造について説明する。図１は手摺り用支柱の取付構造を示す側面図である。図２は、図１に示す手摺り用支柱の取付構造の要部を拡大して示した分解斜視図であり、図３は、その要部斜視図である。また、図４は、図３のＡ−Ａ線断面図である。なお、従来例で示したものと同一部分には同一符号を付した。
【００１９】
本発明の実施形態に係る手摺り用支柱の取付構造は、階段Ｓの手摺りＨを支持するために、床面Ｆまたは踏み板Ｐから立設され、下端部が当該床面Ｆまたは階段Ｓの踏み板Ｐに、下受金具３０を介して固定され、その下端部のやや上側が、一段上の踏み板Ｐの段鼻部Ｎの前面に取付ネジ１５等の取付具で固定されるものであり、支柱１は、支柱本体部１０と蓋部２０を備える。また、この支柱１には、床面から立設する親柱１ａと、踏み板Ｐから立設する子柱１ｂがある。なお、各子柱１ｂの前側に、副子柱（一段上の踏み板Ｐには固定しない子柱）１ｃを立設することもできる。また、段鼻部がない場合には、蹴込板などに、支柱１の下端部のやや上側を固定させることもできる。また、親柱，子柱という区別をなくして同じ太さの柱を使用することもできる。
【００２０】
支柱本体部１０は、その前面壁に作業用開口部１１を有する中空状であり、蓋部２０は、支柱本体部１０の前面壁の全体を表面が面一になるように覆って作業用開口部１１を閉鎖するものである。なお、本実施形態では、作業用開口部１１を支柱本体部１０の前面壁の中央部に全高さにわたって形成して、支柱本体部１０を水平断面略コ字状としている。
また、蓋部２０は、支柱本体部１０の後面壁１２を踏み板Ｐの段鼻部Ｎに取付ネジ１５で固定した後に、支柱本体部１０に取付けられるもので、長尺平板状である。後面壁１２には、取付ネジ１５を挿通するための挿通孔１４を穿設している。
【００２１】
また、蓋部２０の後面（裏面）に第一凹凸部２１を突設すると共に、支柱本体部１０に第二凹凸部１３を形成し、第一凹凸部２１を第二凹凸部１３に係合することによって、蓋部２０を支柱本体部１０に取付けるようにしている。
この第一凹凸部２１は、蓋部２０の後面における左右両側端部のそれぞれに全高さにわたって２つ形成している。また、第一凹凸部２１の凹部２２の開口を左右外側方向に向かって設けるように形成している。また、第二凹凸部１３は、前面壁の作業用開口部１１を形成した残存部である左右両側端部によって同様に２つ形成している。
【００２２】
本実施形態に係る支柱の取付構造は、次のようにして形成される。
まず、床面Ｆおよび踏み板Ｐに固定した下受金具３０に、支柱本体部１０の下端部を差し込む。次に、支柱本体部１０の後面壁１２に穿設した挿通孔１４から取付ネジ１５を螺入して、支柱本体部１０を一段上にある踏み板Ｐの段鼻部Ｎに固定する。続いて、蓋部２０を、その第一凹凸部２１を第二凹凸部１３に係合して支柱本体部１０の前面全体を覆うようにして取付け、同時に作業用開口部１１を閉鎖する。そして、下受金具３０の側面から取付ビス３１を螺入して支柱本体部１０の下端部を固定する。
【００２３】
なお、蓋部２０の支柱本体部１０に対する取付けは、蓋部２０を前方から押込んで、第一凹凸部２１を第二凹凸部１３に係合させて行うことができる。また、蓋部２０を上方から押込み、第一凹凸部２１を第二凹凸部１３に係合させ、そのまま下方にスライドさせて行うこともできる。さらには、蓋部２０を前方から押込んで、第一凹凸部２１の下端部を第二凹凸部１３の上端部に係合させた後、そのまま下方にスライドさせて行うこともできる。
【００２４】
蓋部２０の取付けが完了後、支柱１の上端部に柱部４１を立設した上部金具４０を被せて固定ビス４３で固定することにより、支柱本体部１０と蓋部２０が分離しないようにし、固定ビス４３の頭部を隠蔽するためのキャップ５０を嵌め込む。なお、支柱本体部１０には、固定ビス４３を螺入するための組付け部１６を、後面壁１２から２つ縦方向に突設している。そして、キャップ５０を嵌め込んだ後、手摺りＨに形成した取付け孔部ｈに、柱部４１の上端部を差し込んだ後、柱部４１に斜めに穿設した固定孔部４２から固定ネジ４４を螺入して柱部４１を手摺りＨに固定する。
【００２５】
このようにして取付けられた手摺り用支柱の取付構造は、支柱本体部１０の後面壁１２を踏み板Ｐの段鼻部Ｎに固定した後に、蓋部２０で、支柱本体部１０の前面壁の全体を覆って作業用開口部１１を閉鎖するので、取付ネジ１５が支柱１に内包され、支柱１の前面全体が平面的であり、よって支柱１の見栄えが向上する。
また、作業用開口部１１を前面壁の中央部に全高さにわたって形成しているので、作業用開口部１１を大きく設定することができ、支柱本体部１０の後面壁１２を取付ネジ１５で段鼻部Ｎに固定する作業を容易なものとすることができる。
【００２６】
また、蓋部２０の裏面に形成した第一凹凸部２１を、支柱本体部１０に形成した第二凹凸部１３に係合することによって、当該蓋部２０を支柱本体部１０に取付けるので、取付け作業が容易である。
さらに、第一凹凸部２１を蓋部２０の後面側にて左右両側端部の２箇所に全高さにわたって設け、第二凹凸部１３をそれに対応して２箇所に設けたので、蓋部２０を支柱本体部１０に強固に取付けることができる。またさらに、第一凹凸部２１を、左右外側方向に向かって開口する凹部２２によって形成し、第二凹凸部１３を支柱本体部１０の前面壁の左右両側端部で形成したので両者を容易に係合させることができ、よって、蓋部２０を支柱本体部１０に容易に取付けることができる。
【００２７】
なお、第一凹凸部２１および第二凹凸部１３の形状は、上記した形状に限定されず、凹部と凸部が係合する形状であれば良い。また、その数も２つに限定されず、１つあるいは３つ以上でも良い。
【００２８】
また、本発明の実施形態に記載した支柱本体部１０及びその蓋部２０からなる支柱１としては様々な形状のものが考えられるので、水平断面が矩形状のものに限定されるものではない。
例えば、水平断面が前面壁に開口部を有する略Ｃ字形（楕円状で前面に開口部を有するものも含まれる）で、その前面壁の全体を蓋部で表面が面一になるように覆うものや、水平断面が前面壁に開口部を有する略台形で、その前面壁の全体を蓋部で表面が面一になるように覆うものなど、踏み板に固定される支柱本体部の前面壁を蓋部で表面を面一になるように覆う形状のものであれば適用可能である。
【００２９】
また、図６（ａ），（ｂ），（ｃ），（ｄ）や図７に示すように、支柱本体部を複数の部材に分離可能とすることもできる。
図６（ａ）に示すものは、支柱を水平断面矩形状の中空状角材で構成し、４つの側面をそれぞれ有する４つのパーツ（第１パーツ）７１，（第２パーツ）７２，（第３パーツ）７３，（第４パーツ）７４に分離可能としたものである。この場合、第１パーツ７１が、図４で記載した支柱本体部１０の後面壁１２に相当するものであり、取付ネジ１５を介して踏み板Ｐに固定されるようになっている。そして、第１パーツ７１の両端に第２パーツ７２の一端と第４パーツ７４の一端が組み付けられ、第２パーツ７２の他端と第４パーツ７４の他端に第３パーツ７３が組み付けられるようになっている。第２パーツ７２と第４パーツ７４の内側（裏面）には、支柱１の上端部に柱部４１を立設した上部金具４０を固定する固定ビス４３を螺入するための組付け部７５がそれぞれ縦方向に突設している。また、第２パーツ７２と第４パーツ７４の内側には第一凹凸部７６を突設すると共に、第１パーツ７１の両端内側（裏面）と第３パーツ７３の両端内側（裏面）にはそれぞれ第二凹凸部７７を形成し、隣接する第一凹凸部７６と第二凹凸部７７を係合することによって、隣接する各パーツ７１〜７４が表面を面一にするようにして組み付けられるようになっている。
【００３０】
また、図６（ｂ）に示すように、第一凹凸部７６を第１パーツ７１と第３パーツ７３の内側（裏面）に設けるとともに、第二凹凸部７７を第２パーツ７２と第４パーツ７４の両端内側（裏面）に設け、隣接する第一凹凸部７６と第二凹凸部７７を係合することによって、隣接する各パーツ７１〜７４が表面を面一にするようにして組み付けられるようにしてもよい。なお、第１パーツ７１と第２パーツ７２と第４パーツ７４を一体成形した１つのパーツとし、残りのパーツ、すなわち第３パーツ７３を蓋部として前記一体成形された１つのパーツに組み付けるようにすることもできる。この態様の場合で、第一凹凸部７６と第二凹凸部７７を取り除き、２つの組付け部７５を第１パーツ７１の内側に取り付けたものが、図４に示す支柱１に相当する。
【００３１】
さらに、図６（ｃ）に示すように、２つの側面を有する１つのパーツ（第１パーツ）８１と他の２つの側面を有する１つのパーツ（第２パーツ）８２に分離可能にすることもできる。この態様の場合、図６（ａ），（ｂ）で示した第１パーツ７１と第４パーツ７４が一体成形されたものが、第１パーツ８１に相当し、第２パーツ７２と第３パーツ７３が一体成形されたものが、第２パーツ８２に相当する。第１パーツ８１と第２パーツ８２の内側には、支柱１の上端部に柱部４１を立設した上部金具４０を固定する固定ビス４３を螺入するための組付け部８３がそれぞれ縦方向に突設している。また、第１パーツ８１の一端内側（裏面）には第一凹凸部８４を、他端内側（裏面）には第二凹凸部８５を突設すると共に、第２パーツ８２の一端内側（裏面）には第二凹凸部８５を、他端内側（裏面）には第一凹凸部８４を突設して、隣接する第一凹凸部８４と第二凹凸部８５を係合することによって、隣接する各パーツ８１，８２が表面を面一にするようにして組み付けられるようになっている。
また、図６（ｄ）に示すように、組付け部８３の側面を第二凹凸部８５に接するように設け、安定化を図るようにすることもできる。
【００３２】
さらには、図６（ｃ），図６（ｄ）に示した第１パーツ８１側だけをそれぞれが側面を有する２つのパーツに分離させたり、あるいは、第２パーツ８２側だけをそれぞれが側面を有する２つのパーツに分離させたりして、支柱１の側面全体を３つのパーツで構成するようしてもよい。
【００３３】
また、図７に示すように、対面同士で同一形状の第１パーツ７１と第２パーツ７３と、残り２つの側面を有する第３パーツ９１に分離可能な構成にしてもよい。第３パーツ９１は、図６（ｂ）で示した第２パーツ７２と第４パーツ７４を連結片９３で結合したものであり、その連結片９３に、支柱１の上端部に柱部４１を立設した上部金具４０を固定する固定ビス４３を螺入するための組付け部９２が２つ縦方向に突設したものである。
【００３４】
このように、支柱１は、水平断面矩形状の中空状角材で複数の部材に分離可能といったように、単純な形状で、しかもその分離は、支柱１を構成する側面単位で分離可能にしたので、取付けが容易で施工性に優れるといった効果が得られる。
【図面の簡単な説明】
【００３５】
【図１】本発明の実施形態に係る手摺り用支柱の取付構造を示す側面図である。
【図２】図１に示す手摺り用支柱の取付構造の分解斜視図である。
【図３】図１に示す手摺り用支柱の取付構造の要部斜視図である。
【図４】図３のＡ−Ａ線断面図である。
【図５】従来例に係る手摺り用支柱の取付構造を示す要部斜視図である。
【図６】本発明の実施形態に係る別の手摺り用支柱の取付構造の要部を示す断面図である。
【図７】本発明の実施形態に係る別の手摺り用支柱の取付構造の要部を示す断面図である。
【符号の説明】
【００３６】
１        支柱
１ａ      親柱
１ｂ      子柱
１ｃ      副子柱
１０      支柱本体部
１１      作業用開口部
１２      後面壁
１３      第二凹凸部
１４      挿通孔
１５      取付ネジ
１６      組付け部
２０      蓋部
２１      第一凹凸部
２２      凹部
３０      下受金具
３１      取付ビス
４０      上部金具
４１      柱部
４２      固定孔部
４３      固定ビス
４４      固定ネジ
５０      キャップ
６０      支柱
６１      後面壁
６２      孔部
６３      前面壁
６４      作業穴
６５      カバー
７１      第１パーツ
７２      第２パーツ
７３      第３パーツ
７４      第４パーツ
７５      組付け部
７６      第一凹凸部
７７      第二凹凸部
８１      第１パーツ
８２      第２パーツ
８３      組付け部
８４      第一凹凸部
８５      第二凹凸部
９１      第３パーツ
９２      組付け部
９３      連結片
Ｆ        床面
Ｈ        手摺り
ｈ        取付け孔部
Ｎ        段鼻部
Ｐ        踏み板
Ｓ        階段
【図１】
2007217956.tif 000003
【図２】
2007217956.tif 000004
【図３】
2007217956.tif 000005
【図４】
2007217956.tif 000006
【図５】
2007217956.tif 000007
【図６】
2007217956.tif 000008
【図７】
2007217956.tif 000009